(57)【要約】      （修正有）【課題】跳ね上げ能力の劣化がない安価な跳ね上げ眼鏡を提供する。【解決手段】跳ね上げ眼鏡枠の可動フレームが緩まず、前方上方に任意の角度で跳ね上がる為に、ワタリ部１と可動フレーム部３に設けた回転機構４の両端ヒンジ片一片４ａに多角形状または楕円形状の窪み５を設け、同多角形状または楕円形状の頭部を有するメネジ６をヒンジ片一片４ａより嵌入し、ヒンジ片他一片４ｂから緩挿したオネジ７を螺着して、回転機構４の中央ヒンジ片４ｃを締結する。【選択図】図１
0003193074.tif 000002
【実用新案登録請求の範囲】
【請求項１】
眼鏡枠のワタリ部と回転機構部ヒンジ片を介し、可動フレーム部は回動可能に連結され、回転機構部の両端部のヒンジ一片側に、多角形状または楕円形状の窪みを設け、メネジの多角形状または楕円形状頭部がその窪みに嵌めあうことにより、回転機構の両端部とメネジの動きが一体化するようにし、回転機構中央ヒンジ部の、両端ヒンジ部に対する相対的反転運動が、両端部の他のヒンジ一片側から緩挿されメネジと締結されたオネジに伝わらないように、メネジがオネジを覆うような構成を採用し、メネジとオネジを螺着し締結することにより、ネジ部が緩みにくく、跳ね上げ能力軽減の問題がなく安価に製造できることを特徴とする跳ね上げ眼鏡。
【請求項２】
眼鏡枠のワタリ部と回転機構部ヒンジ片を介し、可動フレーム部は回動可能に連結され、可動フレーム部に有した回転機構部の両端部のヒンジ一片側に、多角形状または楕円形状の窪みを設け、メネジの多角形状または楕円形状頭部がその窪みに嵌めあうことにより回転機構の両端部とメネジの動きが一体化するようにし、ワタリ部に有した回転機構中央ヒンジ片の相対的反転運動が、両端部の他のヒンジ一片側から緩挿されメネジと締結されたオネジにも伝わらないように、メネジがオネジを覆うような構成を採用し、メネジとオネジを螺着し締結することにより、ネジ部が緩みにくく、跳ね上げ能力軽減の問題がなく安価に製造できることを特徴とする跳ね上げ眼鏡。
【請求項３】
眼鏡枠のワタリ部と回転機構部ヒンジ片を介し、可動フレーム部は回動可能に連結され、ワタリ部に有した回転機構部の両端部のヒンジ一片側に、多角形状または楕円形状の窪みを設け、メネジの多角形状または楕円形状頭部がその窪みに嵌めあうことにより回転機構の両端部とメネジの動きが一体化するようにし、可動フレーム部に有した回転機構中央ヒンジ片の回転運動が、両端部の他のヒンジ一片側から緩挿されメネジと締結されたオネジにも伝わらないように、メネジがオネジを覆うような構成を採用し、メネジとオネジを螺着し締結することにより、ネジ部が緩みにくく、跳ね上げ能力軽減の問題がなく安価に製造できることを特徴とする跳ね上げ眼鏡。
【請求項４】
上記可動フレーム部が可動拡大鏡であることを特徴とする請求項１記載の跳ね上げ眼鏡。
【考案の詳細な説明】
【技術分野】
【０００１】本発明は、跳ね上げが可能な眼鏡に関するものである。
【背景技術】
【０００２】一般に跳ね上げ眼鏡は、左右テンプル部とそれを繋ぐワタリ部、さらにワタリ部に回転機構により連結された可動フレーム部により構成され、可動フレーム部を回転機構によって前方上部に跳ね上げることにより、使用各人の目的にあった焦点距離の調整をする。【０００３】また、使用者の目的物までの焦点距離に合わせて、跳ね上げ可能な実用新案登録第３１２１７３０号のような跳ね上げ式眼鏡がある。
【先行技術文献】
【特許文献】
【０００４】
【特許文献１】  実用新案登録第３１２１７３０号
【考案の概要】
【考案が解決しようとする課題】
【０００５】上記のように、回転機構にバネを挿入して跳ね上げ機能を備えた眼鏡の場合は、バネの経年劣化により跳ね上げ能力が落ちてくる。さらに回転運動がネジ部に伝わりやすく、ネジ部が緩みやすくなる欠点を持っている。したがって長期間に渡り、使用者各人に最も適するように跳ね上げ機能を維持するのは非常に困難を要するのが実情である。【０００６】また特許文献１に示すものにあっては、構造が複雑になり部品の数も多くなり故障が起こる可能性が増える。またそれに伴う生産工程の多さと製造単価が問題である。
【課題を解決するための手段】
【０００７】上記の課題を解決するために、この発明においては、回転機構の両端部のヒンジ一片側に多角形状または楕円形状の窪みを設け、メネジの多角形状または楕円形状頭部がその窪みに嵌めあうことにより回転機構の両端ヒンジ部とメネジの動きが一体化するようにし、回転機構の中央ヒンジ部の、両端ヒンジ部に対する相対的反転運動が、両端ヒンジ部の他のヒンジ一片側からメネジと締結されたオネジにも伝わらないように、メネジがオネジを覆うような構成を採用し、両端ヒンジ部と中央ヒンジ部の接触面の摩擦により、可動フレーム部の停止角度を無段階で設定できる構成を採用している。
【考案の効果】
【０００８】上記のように構成すれば、回転機構部を回転させることにより生じるネジの緩みの問題や、バネの経年劣化による、跳ね上げ能力軽減の問題がない。また、パーツの構成も最小限であり、故障の可能性も少なく、さらに生産工程も少なく安価に提供できる。さらにネジの調整により跳ね上げ機能の強弱と任意の跳ね上げ角度設定も簡単に可能になる。
【図面の簡単な説明】
【０００９】
【図１】可動フレーム部の連結前の実施例１を示す斜視図である。
【図２】可動フレーム部の連結後の実施例１を示す斜視図である。
【図３】可動フレーム部が前方上部に回転した実施例１の状態を示す斜視図である。
【図４】可動フレーム部の連結前の実施例１を示す拡大図である。
【図５】可動フレーム部の連結後の実施例１を示す拡大図である。
【図６】可動フレーム部の連結前の実施例２を示す斜視図である。
【図７】可動フレーム部の連結後の実施例２を示す斜視図である。
【図８】可動フレーム部が前方上部に回転した実施例２の状態を示す斜視図である。
【図９】可動フレーム部の連結前の実施例２を示す拡大図である。
【図１０】可動フレーム部の連結後の実施例２を示す拡大図である。
【図１１】可動拡大鏡部の連結前の実施例３を示す斜視図である。
【図１２】可動拡大鏡部の連結後の実施例３を示す斜視図である。
【図１３】可動拡大鏡部が前方上部に回転した実施例３の状態を示す斜視図である。
【図１４】可動拡大鏡部の連結前の実施例３を示す拡大図である。
【図１５】可動拡大鏡部の連結後の実施例３を示す拡大図である。
【考案を実施するための形態】
【００１０】この眼鏡枠はワタリ部に、回転機構を介し可動フレーム部を取り付けて使用する。
使用者は可動フレーム部を適正な角度に調節し、テンプル部を耳部に装着して使用する。
【実施例１】
【００１１】以下、この発明の実施例１を添付図面に基づいて説明する。【００１２】図１〜５において本発明に係る跳ね上げ眼鏡は、図示のように、両端にテンプル部２が連結されたワタリ部１に、レンズが装着される可動フレーム部３が回転機構４を介して回転可能に連結されている。【００１３】回転機構４は一対のヒンジ片４ａ、４ｂと４ｃを有し、両端ヒンジ片４ａと４ｂが可動フレーム部３に、中央部ヒンジ片４ｃがワタリ部２に、ロウ付け等の手段で固着されている。【００１４】回転機構４のヒンジ片の一片４ａには、メネジ６の多角形状または楕円形状頭部が嵌め会う為に、座グリされた同多角形状または楕円形状の窪み５が設けられ、さらにメネジ６の円柱部が挿入されるための円形孔が設けられている。ヒンジ片４ｂにはオネジ７のネジ部が緩挿されるための円形孔が設けられている。【００１５】回転機構４の中央部ヒンジ片４ｃには、メネジ６の円柱部が貫入されるための円形孔８が設けられている。【００１６】可動フレーム部３に設けた回転機構の両端ヒンジ片４ａ、４ｂとワタリ部１に設けたの中央部ヒンジ片４ｃを、メネジ６とオネジ７を螺着することを介して締結する。
さらに可動フレームに装着するレンズ等の重さに合わせて、オネジ７の締結の強さを調整することにより、回転機構のヒンジ部同士の接触面における摩擦力を調整し、装着者の跳ね上げ時の便宜を図る。【００１７】図４で示したように回転機構４のヒンジ片の一片４ａには、メネジ６の多角形状または楕円形状頭部が嵌め会う為に、座グリされた同多角形状または楕円形状の窪み５が設けられているが、その形状は６ａ，６ｂ，６ｃ，６ｄのメネジ６の多角形状または楕円形状頭部と同形状のような例で形成されている。
【実施例２】
【００１８】以下、この発明の実施例２を添付図面に基づいて説明する。【００１９】図６〜１０において本発明に係る跳ね上げ眼鏡は、図示のように、両端にテンプル部２が連結されたワタリ部１に、レンズが装着される可動フレーム部３が回転機構４を介して回転可能に連結されている。【００２０】回転機構４は一対のヒンジ片４ａ、４ｂと４ｃを有し、両端ヒンジ片４ａと４ｂがワタリ部３に、中央部ヒンジ片４ｃが可動フレーム部２に、ロウ付け等の手段で固着されている。【００２１】回転機構４のヒンジ片の一片４ａには、メネジ６の多角形状または楕円形状頭部が嵌め会う為に、座グリされた同多角形状または楕円形状の窪み５が設けられ、さらにメネジ６の円柱部が挿入されるための円形孔が設けられている。ヒンジ片４ｂにはオネジ７のネジ部が緩挿されるための円形孔が設けられている。【００２２】回転機構４の中央部ヒンジ片４ｃには、メネジ６の円柱部が貫入されるための円形孔８が設けられている。【００２３】可動フレーム部３に設けた回転機構の中央部ヒンジ片４ｃとワタリ部１に設けた両端ヒンジ片４ａ、４ｂを、メネジ６とオネジ７を螺着することを介して締結する。
さらに可動フレームに装着するレンズ等の重さに合わせて、オネジ７の締結の強さを調整することにより、回転機構のヒンジ部同士の接触面の摩擦力を調整し、装着者の跳ね上げ時の便宜を図る。【００２４】図９で示したように回転機構４のヒンジ片の一片４ａには、メネジ６の多角形状または楕円形状頭部が嵌め会う為に、座グリされた同多角形状または楕円形状の窪み５が設けられているが、その形状は６ａ，６ｂ，６ｃ，６ｄのメネジ６の多角形状または楕円形状頭部と同形状のような例で形成されている。
【実施例３】
【００２５】以下、この発明の実施例３を添付図面に基づいて説明する。【００２６】図１１〜１５において本発明に係る跳ね上げ眼鏡は、図示のように、両端にテンプル部２が連結されたワタリ部１に、レンズが装着される可動拡大鏡部９が回転機構４を介して回転可能に連結されている。【００２７】回転機構４は一対のヒンジ片４ａ、４ｂと４ｃを有し、両端ヒンジ片４ａと４ｂがワタリ部３に、中央部ヒンジ片４ｃが可動フレーム部２に、ロウ付け等の手段で固着されている。【００２８】回転機構４のヒンジ片の一片４ａには、メネジ６の多角形状または楕円形状頭部が嵌め会う為に、座グリされた同多角形状または楕円形状の窪み５が設けられ、さらにメネジ６の円柱部が挿入されるための円形孔が設けられている。ヒンジ片４ｂにはオネジ７のネジ部が緩挿されるための円形孔が設けられている。【００２９】回転機構４の中央部ヒンジ片４ｃには、メネジ６の根元円柱部が貫入されるための円形孔８が設けられている。【００３０】可動拡大鏡部９に設けた回転機構の中央部ヒンジ片４ｃとワタリ部１に設けた両端ヒンジ片４ａ、４ｂをメネジ６とオネジ７を螺着することを介して締結する。
さらに可動拡大鏡部に装着するレンズ等の重さに合わせて、オネジ７の締結の強さを調整することにより、回転機構のヒンジ部同士の接触面の摩擦力を調整し、装着者の跳ね上げ時の便宜を図る。【００３１】図１４で示したように回転機構４のヒンジ片の一片４ａには、メネジ６の多角形状または楕円形状頭部が嵌め会う為に、座グリされた同多角形状または楕円形状の窪み５が設けられているが、その形状は６ａ，６ｂ，６ｃ，６ｄのメネジ６の多角形状または楕円形状頭部と同形状のような例で形成されている。
【産業上の利用可能性】
【００３２】本考案は、眼鏡枠または拡大鏡を製造する産業で利用される。
【符号の説明】
【００３３】１  ワタリ部
２  テンプル部
３  可動フレーム部
４  回転機構
４ａ，４ｂ，４ｃ  回転機構ヒンジ片
５  多角形状または楕円形状窪み
６  メネジ
６ａ，６ｂ，６ｃ，６ｄ  多角形状または楕円形状のメネジ頭部
７  オネジ
８  円形孔
９  可動拡大鏡部
【図１】
0003193074.tif 000003
【図２】
0003193074.tif 000004
【図３】
0003193074.tif 000005
【図４】
0003193074.tif 000006
【図５】
0003193074.tif 000007
【図６】
0003193074.tif 000008
【図７】
0003193074.tif 000009
【図８】
0003193074.tif 000010
【図９】
0003193074.tif 000011
【図１０】
0003193074.tif 000012
【図１１】
0003193074.tif 000013
【図１２】
0003193074.tif 000014
【図１３】
0003193074.tif 000015
【図１４】
0003193074.tif 000016
【図１５】
0003193074.tif 000017